(57)【要約】【課題】宝石を取り付けた装身具において、宝石を微妙に揺動することを可能とし、宝石の自然な輝きを発揮すること。【解決手段】宝石を取り付けた装身具において、宝石を固定した石座をコイルばねにより、中央で大きく開口して側面で略カップ状をなし、装身具に形成された台座に連結し、ばね軸による石座と台座の連結は、石座に設けられた挿入口にばね軸の一端を挿入すると共に、台座に設けられた棒体にばね軸の他端を巻装する。【選択図】      図１
2010046218.tif 000002
【特許請求の範囲】
【請求項１】
宝石を固定した石座をコイルばねにより装身具に形成される台座に連結し、前記台座において前記石座が微妙に揺動することを特徴とする装身具。
【請求項２】
前記台座は中央で大きく開口し、側面で略カップ状をなすと共に、前記石座は前記台座の開口部で微妙に揺動することを特徴とする請求項１に記載の装身具。
【請求項３】
前記ばね軸による前記石座と前記台座の連結は、前記石座に設けられた挿入口に前記ばね軸の一端を挿入すると共に、前記台座に設けられた棒体に前記ばね軸の他端を巻装することを特徴とする請求項１から２に記載の装身具。
【請求項４】
前記装身具が指輪又はブローチであって、前記石座は前記台座の上方に連結されると共に、前記ばね軸のばね幅が狭小な軟質コイルばねを使用したものであることを特徴とする請求項１から３に記載の装身具。
【請求項５】
前記装身具がイアリング、ピアス又はペンダントであって、前記石座と前記台座の側方に連結されると共に、前記ばね軸のばね幅が幅広な硬質コイルばねを使用したものであることを特徴とする請求項１から３に記載の装身具。
【発明の詳細な説明】
【技術分野】
【０００１】
本発明は、宝石を取り付けた装身具において、当該宝石を微妙に揺動することを可能とし、宝石の自然な輝きを発揮することができる装身具に関する。
【背景技術】
【０００２】
昨今の指輪、ピアス等であって、宝石を使用する装身具の中には、その使用中に装身具本体に取り付けられた宝石が身体の動きに伴って揺動し、従来からある宝石を固定して取り付ける装身具に比べ、宝石の輝きをより強く発揮することができるものが存在する。
【０００３】
例えば、図７に示すように、上方にチェーン連結部７３を有した台座７１の背面にテーパー状の定着部７５を形成し、正面略中央には、先端に吊下孔７８と後方に湾曲部７９を設けた吊下部７７を形成し、該吊下孔７８には、宝石を係止環９５により取り付けた装飾片９０を揺動可能に吊下げることを特徴とする装身具用ペンダント７０が開発されている。
【０００４】
【特許文献１】特開２００２−２８２０２０号公報
【発明の開示】
【発明が解決しようとする課題】
【０００５】
ところが、このような装身具用ペンダントは使用中の身体の動きを着実に伝導することに主眼があるから、宝石が揺動する振幅が当該宝石の輝きを放出する必要十分以上となる可能性がある、換言すれば宝石が揺れ過ぎる場合も存在する。宝石の輝きを自然に発揮するためには、微細な揺動が繰り返されることが好ましいが、装身具をまとう身体の動きにより、宝石を微妙に揺れ動かすための構造は開発されていなかった。
【０００６】
本発明の目的は、上記の従来技術が有する問題点を解消し、取り付けられた宝石を微妙に揺れ動かすことを可能とし、宝石の自然な輝きを発揮する構造を具現した装身具を提供することである。
【課題を解決するための手段】
【０００７】
上記の課題を解決する請求項１に記載の発明は、宝石を固定した石座をコイルばねにより装身具に形成される台座に連結し、前記台座において前記石座が微妙に揺動することを特徴とする装身具であることを特徴とする。そして、本発明においては、前記台座は中央で大きく開口し、側面で略カップ状をなすと共に、前記石座は前記台座の開口部で微妙に揺動することが好ましい。さらに、本発明においては、前記ばね軸による前記石座と前記台座の連結は、前記石座に設けられた挿入口に前記ばね軸の一端を挿入すると共に、前記台座に設けられた棒体に前記ばね軸の他端を巻装することが好ましい。
【０００８】
また、請求項４に記載の発明は、請求項１から３に記載の装身具が、指輪又はブローチであって、前記石座は前記台座の上方に連結されると共に、前記ばね軸のばね幅が狭小な軟質コイルばねを使用したものであることを特徴とする。さらに、請求項５に記載の発明は、請求項１から３に記載の装身具が、イアリング、ピアス又はペンダントであって、前記石座と前記台座の側方に連結されると共に、前記ばね軸のばね幅が幅広な硬質コイルばねを使用したものであることを特徴とする。
【発明の効果】
【０００９】
本発明に係る装身具によれば、石座に取り付けられた宝石が身体の動きにより、微妙に揺動することができる。その結果、宝石が自然の輝きを発揮する魅力的な装身具を提供することができる。
【発明を実施するための最良の形態】
【００１０】
以下、本発明に係る揺動装身具の好ましい実施例を図面により詳細に説明する。図１は第１装身具を構成する部材を示す斜視図である。図２は完成した第１装身具を示す斜視図、図３はその断面図である。
【００１１】
第１装身具１０は、いわゆる指輪であって、素材は、例えば、金、プラチナ、銀等の貴金属を主とするものであるが、これに限定されることなく、樹脂等の他の素材を使用することもできる。また、第１装身具１０に使用される宝石１２は、例えば、ダイアモンド、合成ダイアモンド、模造ダイアモンド等の無色透明宝石、ルビー、サファイア、エメラルド等の有色透明宝石が代表的なものであるが、その他の合成宝石、模造宝石、さらには、例えば、ミラーボールの如く揺動して輝きを発するものを使用することができる。
【００１２】
石座１４は、例えば、装飾的な花弁形状をあしらったデザインからなり、所定の厚みを有する板体であって、表面には宝石１２として、例えば、小粒ダイアモンドが彫留等の従来から存在する石留方法により取り付けられている。そして、石座１４の裏側略中央には、第１コイルばね１５の一端を挿入可能な内径からなる挿入口１６が、第１コイルばね１５を固定するための止め軸１６ａと共に形成されている。なお、石座１４の形状や寸法には特に限定がないが、空気中のゴミを入り難くできる等の利点を考慮すると、台座２０の開口部２２の形状や寸法にほぼ合わせたもの、すなわち台座２０との間に揺動するための空間を保ちつつ台座２０の蓋体としての役割を果たすようなものが好ましい。
【００１３】
第１コイルばね１５は、ばね幅（間隔）が狭小ないわゆる軟質コイルばねと呼ばれるもので、例えば、ステンレスを素材とし、ばねの外径２．２ｍｍ、ばねの線径０．１７ｍｍ、ばねの間隔０．３ｍｍからなるものである。後記するピアスと異なり、一般的には指輪に軟質コイルばねを使用するのは、台座２０の上方で石座１４を支持できるばねの強度があれば十分で、むしろ柔軟性に富む軟質コイルばね使用して身体の動きを微妙に反映させるためである。ただし、第１コイルばね１５の素材、線径、ばね間の隙間等は、あくまで石座１４に取り付けられる宝石１２の大きさや石座１４の重量によって決定される。
【００１４】
台座２０は、例えば、装飾的な花弁形状の花芯をあしらったデザインからなり、中央に大きな開口部２２を有し、側面では略カップ状をなす所定の厚みを有する板体からなる。台座２０の開口部２２の底面の略中央には、第１コイルばね１５の他端を差込み可能な外径からなり、第１コイルばね１５を固定するための止め軸２４ａが形成された棒体２４が突設されている。
【００１５】
指輪本体２６は、従来の指輪と同様であって、身にまとう者の指のサイズに合わせたリングからなる。その断面形状は、角形、台形、円形、楕円形等、特に限定はない。
【００１６】
第１装身具１０は、台座２０の棒体２４に第１コイルばね１５の一端を巻装し、止め軸２４ａを倒して第１コイルばね１５を固定した後、他端を石座１４の挿入口１６に挿入し、同様に止め軸１６ａを倒して第１コイルばね１５を固定することで、台座２０と石座１４を連結して指輪を構成する。この状態において、石座１４は、第１コイルばね１５により台座２０の上方に支持され、かつその周部と台座２０の壁部との間にわずかな空間部を均一に形成しつつその開口部２２に挿入される。なお、第１コイルばね１５の末端を石座１４側においては挿入口１６に挿入し、台座２０側においてはされた棒体２４に巻装する理由は、石座１４はより微妙に揺れ動くことが必要とされるのに対し、台座２０はより確実に固定されなければならないからである。
【００１７】
このような第１装身具１０を指に装着すると、柔軟性に富む第１コイルばね１５の作用により、身体の動きにより台座２０において開口部２２内の石座１４が微妙に揺れ動くことができる。その結果、石座１４に取り付けられた宝石１２は自然な輝きを強く発揮することができる。
【００１８】
図４は第２装身具を構成する部材を示す斜視図である。図５は完成した第２装身具を示す斜視図である。
【００１９】
第２装身具３０は、いわゆるピアスであって、その素材は、例えば、金、プラチナ、銀等の貴金属を素材とするものであるが、これに限定されることなく、合成樹脂等を使用することもできる。また、使用される宝石３２は、例えば、ダイアモンド、合成ダイアモンド、模造ダイアモンド等の無色透明宝石、ルビー、サファイア、エメラルド等の有色透明宝石が代表的なものであるが、その他の合成宝石、模造宝石、さらには、例えば、ミラーボールの如く揺動して輝きを発するものも含まれる。
【００２０】
石座３４は、例えば、所定の厚みを有する半球状の板体であって、表面には宝石３２として、例えば、小粒ダイアモンドが彫留等の従来から存在する石留方法により取り付けられている。そして、石座３４の裏側略中央には、第２コイルばね３５の一端を挿入可能な内径からなる挿入口が、第２コイルばね３５を固定するための止め軸と共に形成されている（図示せず。）。なお、石座３４の形状や寸法には特に限定がないが、空気中のゴミを入り難くする等の利点を考慮すると、台座４０の形状や寸法にほぼ合わせたもの、すなわち台座４０との間に揺動するための空間を保ちつつ台座４０の蓋体としての役割を果たすようなものが好ましい。
【００２１】
第２コイルばね３５は、ばね幅（間隔）が幅広ないわゆる硬質コイルばねと呼ばれるもので、例えば、ステンレスを素材とし、ばねの外径２．２ｍｍ、ばねの線径０．２ｍｍ、ばねの間隔０．５ｍｍのものである。前記した指輪と異なり、一般的にはピアスに硬質ばねを使用するのは、台座４０の前方で石座を水平に支持するためには、ばねにある程度の強度が必要である一方、身体の動きを微妙に反映する弾性をも備えなければならないからである。ただし、第２コイルばね３５の素材、線径、間隔等は、あくまで石座３４に取り付けられる宝石３２の大きさや重量によって決定される。
【００２２】
台座４０は、例えば、中央に大きな開口部４２を有し、側面で略カップ状をなす所定の厚みを有する半球状の板体であって、石座の板体よりもやや寸法が大きいものである。台座４０の裏側略中央には、第２コイルばね３５の他端を差込み可能な外径からなり、第２コイルばね３５を固定するための止め軸４４ａが形成された棒体４４が突設されており、さらに台座４０の後方にはピアス針４６が取り付けられている。台座４０と石座３４は組み合わされて中空の球体となり、あたかも真珠のような丸みを帯びた装飾体となる。
【００２３】
ピアス針４６は、従来のピアスに使用されるものと全く同様であって、末端には耳たぶに挿入した後に離脱を防止するためのピアスキャッチ４７が備えられる。なお、ピアス針４６の断面形状は、角形、円形等、特に限定はない。
【００２４】
第２装身具３０は、台座４０の棒体４４に第２コイルばね３５の一端を巻装し、止め軸４４ａを倒して第２コイルばね３５を固定した後、他端を石座の挿入口に挿入し、同様に止め軸を倒して第２コイルばねを固定することで、台座４０と石座３４を連結してピアスを構成する。この状態において、石座３４は、第２コイルばね３５により台座４０の前方に支持され、かつその周部と石座４０の壁部との間にわずかな空間部を均一に形成しつつその開口部４２に挿入される。なお、第２コイルばね３５を石座３４側においては挿入口に挿入し、台座４０側においては棒体４４に巻装する理由は、石座３４はより微妙に揺れ動くことが必要とされるのに対し、台座４０はより確実に固定されなければならないからである。  
【００２５】
このような第２装身具３０を耳に装着すると、強度と柔軟性を備えた第２コイルばね３５の作用で、石座３４は台座４０の前方に水平に支えられ、かつ身体の動きにより台座４０内の石座３４が微妙に揺動ことができる。その結果、石座に取り付けられた宝石３２は自然な輝きを強く発揮することができる。
【００２６】
図６において、（ａ）は第３装身具の正面図、（ｂ）はその背面図、（ｃ）はその側面図である。
【００２７】
第３装身具５０は、ブローチあって、その素材は、例えば、金、プラチナ、銀等の貴金属を素材とするものであるが、これに限定されることなく、合成樹脂等を使用することもできる。また、使用される宝石５２は、例えば、真珠であるが、第１装身具１０等と同様にダイアモンド、合成ダイアモンド、模造ダイアモンド等の無色透明宝石、ルビー、サファイア、エメラルド等の有色透明宝石が代表的なものであるが、その他の合成宝石、模造宝石、さらには、例えば、ミラーボールの如く揺動して輝きを発するものも含まれる。
【００２８】
石座５４は、例えば、所定の厚みを有す円盤形の板体であって、表面には宝石５２として、例えば、真珠が彫留のような従来から存在する石留方法により取り付けられている。そして、石座５４の裏側略中央には、上方に９０度曲折した支持部５６が取り付けられ、さらに支持部５６の先端には第３コイルばね５５の一端を挿入可能な内径からなる挿入口が、第３コイルばねを固定するための止め軸と共に形成されている（図示せず。）。なお、石座５４の形状や寸法には特に限定がない。
【００２９】
第３コイルばね５５は、いわゆる軟質コイルばねと呼ばれるもので、前記した指輪に使用される軟質ばねと略同様である。石座５４がぶら下がる状態においては、台座６０の下方に位置する石座５４を水平に支持する必要がなく、むしろ身体の動きを微妙に反映する柔軟性が必要だからである。
【００３０】
台座６０は、例えば、所定の厚みを有し、一側に石座５４を組み合わせる凹形状のカーブを形成した略長方形の板体であって、その裏面において凹形状の上方には第３コイルばね５５を差込み可能な外径からなり、第３コイルばね５５を固定するための止め軸（図示せず。）が形成された棒体６４が垂下して取り付けられ、さらにブローチ針６６とその止め具６７が取り付けられている。なお、台座６０の形状は、角形、ハート形等、特に限定はない。
【００３１】
第３装身具５０は、台座６０の棒体６４に第３コイルばね５５の一端を挿入し、止め軸を倒して第３コイルばね５５を固定した後、他端を石座５４の挿入口に挿入し、同様に止め軸を倒して第３コイルばね５５を固定して石座５４を連結する。この状態において、石座５４の周部と台座６０の凹形状の間に空間部が均一に形成される。
【００３２】
このような第３装身具５０はブローチ針６６を衣服に刺し、止め具６７により台座６０を装着する。取り付けられた石座５４は身体の動きにあわせて微妙に揺れ動く。特に、第３コイルばね５５は石座５４を支えつつ弾性を発揮し、石座５４は繊細な動きを具現することができ、取り付けられた宝石５２が自然な宝石の輝きを発揮することができる。
【００３３】
以上、本発明が有利に適用される場合として、指輪、ピアス、ブローチに使用する場合を説明したが、他の装身具でも石座がばねにより台座と連結できるものであれば差し支えなく、ペンダント、ブレスレット等の装身具を構成することもできる。その他、指輪、ピアス、ブローチであってデザインが異なる装身具であれば、本発明の範疇に含まれるのは当然である。
【図面の簡単な説明】
【００３４】
【図１】第１装身具を構成する部材を示す斜視図である。
【図２】完成した第１装身具を示す斜視図である。
【図３】完成した第１装身具の断面図である。
【図４】第２装身具を構成する部材を示す斜視図である。
【図５】完成した第２装身具を示す斜視図である。
【図６】（ａ）は第３装身具の正面図、（ｂ）はその背面図、（ｃ）はその側面図である。
【図７】装飾片を揺動可能に吊下げる装身具用ペンダント示す斜視図である。
【符号の説明】
【００３５】
１０  第１装身具
１２  宝石
１４  石座
１５  第１コイルばね
１６  挿入口
１６ａ  止め軸
２０  台座
２２  開口部
２４  棒体
２４ａ  止め軸
２６  指輪本体
３０  第２装身具
３２  宝石
３４  石座
３５  第２コイルばね
４０  台座
４２  開口部
４４  棒体
４４ａ  止め軸
４６  ピアス針
４７  ピアスキャッチ
５０  第３装身具
５２  宝石
５４  石座
５５  第３コイルばね
５６  支持部
６０  台座
６４  棒体
６６  ブローチ針
６７  止め具
７０  装身具用ペンダント
７１  台座
７３  チェーン連結部
７５  定着部
７７  吊下部
７８  吊下孔
７９  湾曲部
９０  装飾片
９５  係止環
【図１】
2010046218.tif 000003
【図２】
2010046218.tif 000004
【図３】
2010046218.tif 000005
【図４】
2010046218.tif 000006
【図５】
2010046218.tif 000007
【図６】
2010046218.tif 000008
【図７】
2010046218.tif 000009